(57)【要約】【課題】人体の生体状態を容易で、かつ、正確に検出できるようにする。【解決手段】コンタクトレンズ型の表示装置に、涙検出部２６を設けて、眼球の涙を採集すると共に、成分を分析して、ユーザの感情性の情報を検出し、コンタクトレンズ型の表示装置１１より携帯端末ＳＰに検出結果を送信し表示させる。これにより、ユーザの涙の成分に基づいて、生体状態を検出することができるので、正確にユーザの生体状態を検出することができる。本技術は、コンタクトレンズ型の表示部に適用することができる。【選択図】図３
2016008818.tif 000002
【特許請求の範囲】
【請求項１】
生体から採取された涙の成分分析を行う分析部と、
前記涙の成分分析の結果に基づいて、前記生体の状態を検出する検出部と
を含む検出装置。
【請求項２】
前記検出部は、前記涙の成分分析の結果に基づいて、前記涙の種別により定まる前記生体の状態を検出する
請求項１に記載の検出装置。
【請求項３】
前記生体の状態には、前記生体の感情に起因する感情性の状態が含まれる
請求項１に記載の検出装置。
【請求項４】
前記検出部は、前記涙の成分分析の結果として得られた、前記生体の状態が所定の感情性の状態に遷移しようとするときに分泌される物質の分析結果に基づいて、前記生体の状態が前記所定の感情性の状態に遷移するかを特定する
請求項３に記載の検出装置。
【請求項５】
前記検出部は、前記涙の成分分析の結果として得られた、前記生体の状態が第１の感情性の状態に遷移しようとするときに分泌される物質の分析結果に基づいて算出された、前記第１の感情性の状態に遷移しようとする度合いと、前記涙の成分分析の結果として得られた、前記生体の状態が第２の感情性の状態に遷移しようとするときに分泌される物質の分析結果に基づいて算出された、前記第２の感情性の状態に遷移しようとする度合いとに基づいて、前記生体の状態が、前記第１の感情性の状態または前記第２の感情性の状態の何れの状態に遷移するかを特定する
請求項４に記載の検出装置。
【請求項６】
前記検出部は、前記第１の感情性の状態に遷移しようとする度合い、および前記第２の感情性の状態に遷移しようとする度合いに基づいて、これから遷移すると推定される前記生体の状態の度合いを示す事前予測感情レベルをさらに算出する
請求項５に記載の検出装置。
【請求項７】
前記検出部は、前記事前予測感情レベルに基づいて、現在時刻よりも後の時刻における前記事前予測感情レベルの変動を予測する
請求項６に記載の検出装置。
【請求項８】
前記検出部は、前記涙の成分分析の結果として得られた、前記生体の状態が所定の感情性の状態であるときに多く分泌される物質の分析結果に基づいて、前記生体の状態を特定する
請求項３に記載の検出装置。
【請求項９】
前記検出部は、前記涙の成分分析の結果として得られた、第１の感情性の状態であるときに多く分泌される物質の分析結果に基づいて算出された、前記第１の感情性の状態らしさの度合いと、前記涙の成分分析の結果として得られた、第２の感情性の状態であるときに多く分泌される物質の分析結果に基づいて算出された、前記第２の感情性の状態らしさの度合いとに基づいて、前記涙の状態が、前記第１の感情性の状態または前記第２の感情性の状態の何れの状態であるかを特定する
請求項８に記載の検出装置。
【請求項１０】
前記検出部は、前記第１の感情性の状態らしさの度合い、および前記第２の感情性の状態らしさの度合いに基づいて、前記生体の感情性の状態の度合いを示す感情レベルをさらに算出する
請求項９に記載の検出装置。
【請求項１１】
前記検出部は、前記感情レベルに基づいて、現在時刻よりも後の時刻における前記感情レベルの変動を予測する
請求項１０に記載の検出装置。
【請求項１２】
前記生体の状態には、前記生体への刺激に起因する状態が含まれる
請求項２に記載の検出装置。
【請求項１３】
前記検出部は、前記涙の成分分析の結果として得られた、前記生体への刺激があるとき、または前記生体に疼痛があるときに分泌される物質の分析結果に基づいて、前記生体の状態が、前記生体への刺激に起因する状態であるか、または前記生体に疼痛がある状態が継続したときに遷移する、前記生体の感情に起因する感情性の状態であるかを特定する
請求項１２に記載の検出装置。
【請求項１４】
前記検出部は、前記生体への刺激があるとき、または前記生体に疼痛があるときに分泌される物質の分析結果に基づく、その前記物質の分泌量を示す値が所定の閾値以上となる期間の長さに基づいて、前記生体の状態が、前記生体への刺激に起因する状態であるか、または前記生体の感情に起因する感情性の状態であるかを特定する
請求項１３に記載の検出装置。
【請求項１５】
前記検出部は、前記生体への刺激があるとき、または前記生体に疼痛があるときに分泌される物質の分析結果に基づいて、前記生体への刺激レベルまたは疼痛レベルを算出する
請求項１３に記載の検出装置。
【請求項１６】
前記検出部は、前記刺激レベルまたは前記疼痛レベルに基づいて、現在時刻よりも後の時刻における前記刺激レベルまたは前記疼痛レベルの変動を予測する
請求項１５に記載の検出装置。
【請求項１７】
前記検出部は、前記涙の成分分析の結果として得られた、特定の物質の分析結果に基づいて、前記生体の涙の分泌レベルを特定する
請求項１に記載の検出装置。
【請求項１８】
前記検出装置は眼球に着脱可能となっている
請求項１に記載の検出装置。
【請求項１９】
生体から採取された涙の成分分析を行い、
前記涙の成分分析の結果に基づいて、前記生体の状態を検出する
ステップを含む検出方法。
【請求項２０】
生体から採取された涙の成分分析を行う分析ステップと、
前記涙の成分分析の結果に基づいて、前記生体の状態を検出する検出ステップと
を含む処理をコンピュータに実行させるプログラム。
【発明の詳細な説明】
【技術分野】
【０００１】
本技術は、検出装置および方法、並びにプログラムに関し、特に、生体の状態を高精度で検出できるようにした検出装置および方法、並びにプログラムに関する。
【背景技術】
【０００２】
近年、生体の状態を検出する技術として、例えば、ユーザの周囲の環境の情報を検出し、検出した環境の情報から、ユーザの生体状態として行動特性を判断し、判断した行動特性に応じた処理をアバタに反映させる技術が提案されている（特許文献１参照）。
【先行技術文献】
【特許文献】
【０００３】
【特許文献１】特開２０１３−１０５３１９号公報
【発明の概要】
【発明が解決しようとする課題】
【０００４】
しかしながら、特許文献１の技術においては、ユーザの周辺の環境情報を取得することで、ユーザの生体状態に対応する行動特性を判断し、判断した行動特性に応じた処理をアバタに反映させるに過ぎず、人物の生体に関する情報を直接得て判断するものではないため、必ずしも適切な処理を施すことができなかった。
【０００５】
本技術は、このような状況に鑑みてなされたものであり、特に、簡単な方法で、ユーザの生体状態を高精度に検出できるようにするものである。
【課題を解決するための手段】
【０００６】
本技術の一側面の検出装置は、生体から採取された涙の成分分析を行う分析部と、前記涙の成分分析の結果に基づいて、前記生体の状態を検出する検出部とを含む。
【０００７】
前記検出部には、前記涙の成分分析の結果に基づいて、前記涙の種別により定まる前記生体の状態を検出させるようにすることができる。
【０００８】
前記生体の状態には、前記生体の感情に起因する感情性の状態が含まれるようにすることができる。
【０００９】
前記検出部には、前記涙の成分分析の結果として得られた、前記生体の状態が所定の感情性の状態に遷移しようとするときに分泌される物質の分析結果に基づいて、前記生体の状態が前記所定の感情性の状態に遷移するかを特定させるようにすることができる。
【００１０】
前記検出部には、前記涙の成分分析の結果として得られた、前記生体の状態が第１の感情性の状態に遷移しようとするときに分泌される物質の分析結果に基づいて算出された、前記第１の感情性の状態に遷移しようとする度合いと、前記涙の成分分析の結果として得られた、前記生体の状態が第２の感情性の状態に遷移しようとするときに分泌される物質の分析結果に基づいて算出された、前記第２の感情性の状態に遷移しようとする度合いとに基づいて、前記生体の状態が、前記第１の感情性の状態または前記第２の感情性の状態の何れの状態に遷移するかを特定させるようにすることができる。
【００１１】
前記検出部には、前記第１の感情性の状態に遷移しようとする度合い、および前記第２の感情性の状態に遷移しようとする度合いに基づいて、これから遷移すると推定される前記生体の状態の度合いを示す事前予測感情レベルをさらに算出させるようにすることができる。
【００１２】
前記検出部には、前記事前予測感情レベルに基づいて、現在時刻よりも後の時刻における前記事前予測感情レベルの変動を予測させるようにすることができる。
【００１３】
前記検出部には、前記涙の成分分析の結果として得られた、前記生体の状態が所定の感情性の状態であるときに多く分泌される物質の分析結果に基づいて、前記生体の状態を特定させるようにすることができる。
【００１４】
前記検出部には、前記涙の成分分析の結果として得られた、第１の感情性の状態であるときに多く分泌される物質の分析結果に基づいて算出された、前記第１の感情性の状態らしさの度合いと、前記涙の成分分析の結果として得られた、第２の感情性の状態であるときに多く分泌される物質の分析結果に基づいて算出された、前記第２の感情性の状態らしさの度合いとに基づいて、前記涙の状態が、前記第１の感情性の状態または前記第２の感情性の状態の何れの状態であるかを特定させるようにすることができる。
【００１５】
前記検出部には、前記第１の感情性の状態らしさの度合い、および前記第２の感情性の状態らしさの度合いに基づいて、前記生体の感情性の状態の度合いを示す感情レベルをさらに算出させるようにすることができる。
【００１６】
前記検出部には、前記感情レベルに基づいて、現在時刻よりも後の時刻における前記感情レベルの変動を予測させるようにすることができる。
【００１７】
前記生体の状態には、前記生体への刺激に起因する状態が含まれるようにすることができる。
【００１８】
前記検出部には、前記涙の成分分析の結果として得られた、前記生体への刺激があるとき、または前記生体に疼痛があるときに分泌される物質の分析結果に基づいて、前記生体の状態が、前記生体への刺激に起因する状態であるか、または前記生体に疼痛がある状態が継続したときに遷移する、前記生体の感情に起因する感情性の状態であるかを特定させるようにすることができる。
【００１９】
前記検出部には、前記生体への刺激があるとき、または前記生体に疼痛があるときに分泌される物質の分析結果に基づく、その前記物質の分泌量を示す値が所定の閾値以上となる期間の長さに基づいて、前記生体の状態が、前記生体への刺激に起因する状態であるか、または前記生体の感情に起因する感情性の状態であるかを特定させるようにすることができる。
【００２０】
前記検出部には、前記生体への刺激があるとき、または前記生体に疼痛があるときに分泌される物質の分析結果に基づいて、前記生体への刺激レベルまたは疼痛レベルを算出させるようにすることができる。
【００２１】
前記検出部には、前記刺激レベルまたは前記疼痛レベルに基づいて、現在時刻よりも後の時刻における前記刺激レベルまたは前記疼痛レベルの変動を予測させるようにすることができる。
【００２２】
前記検出部には、前記涙の成分分析の結果として得られた、特定の物質の分析結果に基づいて、前記生体の涙の分泌レベルを特定させるようにすることができる。
【００２３】
前記検出装置は眼球に着脱可能となるようにすることができる。
【００２４】
本技術の一側面の検出方法は、生体から採取された涙の成分分析を行い、前記涙の成分分析の結果に基づいて、前記生体の状態を検出するステップを含む。
【００２５】
本技術の一側面のプログラムは、生体から採取された涙の成分分析を行う分析ステップと、前記涙の成分分析の結果に基づいて、前記生体の状態を検出する検出ステップとを含む処理をコンピュータに実行させる。
【００２６】
本技術の一側面においては、生体から採取された涙の成分分析が行われ、前記涙の成分分析の結果に基づいて、前記生体の状態が検出される。
【００２７】
本技術の一側面の検出装置は、独立した装置であっても良いし、検出処理を行うブロックであっても良い。
【発明の効果】
【００２８】
本技術の一側面によれば、生体の状態を容易で、かつ、高精度に検出することが可能となる。
【図面の簡単な説明】
【００２９】
【図１】本技術を適用した生体状態検出装置のユースケースを説明する図である。
【図２】本技術を適用したコンタクトレンズ型の表示装置の眼球への装着例を示す図である。
【図３】コンタクトレンズ型の表示装置の外観構成例を説明する図である。
【図４】図３の表示装置の機能を実現する構成を説明するブロック図である。
【図５】涙分析部の構成例を説明する図である。
【図６】分析室の構成例を説明する図である。
【図７】生体状態検出処理を説明するフローチャートである。
【図８】その他の生体状態検出処理を説明するフローチャートである。
【図９】生体状態の遷移を説明する図である。
【図１０】涙の成分と時間推移の関係を説明する図である。
【図１１】累積した涙の成分と時間推移の関係を説明する図である。
【図１２】感情事前予測演算処理を説明するフローチャートである。
【図１３】感情演算処理を説明するフローチャートである。
【図１４】刺激・疼痛演算処理を説明するフローチャートである。
【図１５】涙分泌量演算処理を説明するフローチャートである。
【図１６】覚醒・睡眠演算処理を説明するフローチャートである。
【図１７】覚醒・睡眠演算処理を説明するフローチャートである。
【図１８】ドライアイズ症候群判定処理を説明するフローチャートである。
【図１９】累積した涙の成分と感情レベルの予測を説明するフローチャートである。
【図２０】累積した涙の成分と感情レベルのその他の予測を説明する図である。
【図２１】累積した涙の成分と感情レベルのさらにその他の予測を説明する図である。
【図２２】感情レベルの予測を説明する図である。
【図２３】感情レベルの予測を説明する図である。
【図２４】感情レベルの予測を説明する図である。
【図２５】本技術を適用したコンタクトレンズ型の涙の採集装置と分析装置の外観構成を説明する図である。
【図２６】分析装置の機能を実現するための構成を説明するブロック図である。
【図２７】汎用のパーソナルコンピュータの構成例を説明する図である。
【発明を実施するための最良の形態】
【００３０】
＜生体の状態を検出する技術＞
本技術は、被験者である人物の涙を検出し、検出した涙を分析することで、人物の感情を生体の情報として検出するものである。
【００３１】
本技術の構成例は、大きく２つある。第１の構成例は、コンタクトレンズ型であって涙を採集し、採集した涙を分析する機能を備えた表示装置が、分析した涙の成分の情報に基づいて、人物の生体状態を特定し、スマートフォンなどの携帯端末に送信して表示させるものである。
【００３２】
また、第２の構成例は、コンタクトレンズ型の採集装置で涙の採集のみを実行し、その後、採集した涙を外部の分析装置が分析し、分析した涙の成分の情報に基づいて、人物の生体状態を特定し、スマートフォンなどの携帯端末に送信して表示させるものである。
【００３３】
すなわち、上述した第１の構成例においては、図１のＣａｓｅ１で示されるように、被験者となる人物Ｈ１が、コンタクトレンズ型であって涙を採集して、分析する機能を備えた表示装置を装着すると、表示装置が涙の成分に基づいて生体状態を特定し、スマートフォンなどの携帯端末ＳＰに送信して提示させる。これにより、図１の人物Ｈ２で示されるように、被験者となる人物は、携帯端末ＳＰに表示される自らの生体状態の情報を見ることができる。
【００３４】
また、上述した第２の構成例においては、図１のＣａｓｅ２で示されるように、被験者となる人物Ｈ１が、涙の採集機能を備えたコンタクトレンズ型の涙の採集装置を装着した後、涙の採集が完了した時点で、人物Ｈ１１で示されるように、採集装置を目から外す。さらに、人物Ｈ１２で示されるように、分析装置ＡＮに格納すると、分析装置ＡＮが涙の成分に基づいて、生体状態を特定し、スマートフォンなどの携帯端末ＳＰに送信する。これにより、図１の人物Ｈ１３で示されるように、被験者となる人物は、携帯端末ＳＰに表示される自らの生体状態を見ることができる。
【００３５】
＜第１の構成例＞
まず、上述した、本技術の第１の構成例について説明する。
【００３６】
図２は、本技術を適用した検出装置であって、上述した第１の構成例にあたるコンタクトレンズ型の涙の採集機能と、採集した涙の分析機能とを備えた表示装置の外観構成を示している。
【００３７】
尚、図２は、左部が、眼球Ｅに表示装置１１を装着したときの眼球Ｅの側面断面を示したものであり、右部が眼球Ｅを正面からみたときの外観構成を示している。表示装置１１は、眼球Ｅの曲面に対応する形状とされており、コンタクトレンズを装用する場合と同様に装着される。また、表示装置１１の外周部には、涙を採集するための採集口Ｇ−１乃至Ｇ−６がほぼ等間隔であって、眼球Ｅに接触する面に設けられている。
【００３８】
尚、採集口Ｇ−１乃至Ｇ−６は、外周部に６個設けた場合の例を示しているが、それ以外の個数であってもよい。尚、採集口Ｇ−１乃至Ｇ−６を個別に区別する必要がない場合、単に、採集口Ｇと称するものとし、その他の構成についても同様に称するものとする。
【００３９】
＜表示装置の電気的な構成例＞
次に、図３を参照して、表示装置１１の電気的な構成例について説明する。
【００４０】
すなわち、表示装置１１は、表示領域２１、給電アンテナ２２、信号アンテナ２３、発電部２４、姿勢検出部２５、涙検出部２６−１乃至涙検出部２６−６、信号処理部２７、および表示素子駆動部２８を有している。
【００４１】
表示領域２１は、ユーザに対して提示する画像や文字等の情報を表示する複数の表示画素からなる表示素子と、表示画素に隣接して配置され、ユーザの眼球表面で反射した光を受光する視線検出用の受光素子とを有している。さらに、表示領域２１はユーザの瞼の開閉を検出するための発光素子と受光素子も有している。
【００４２】
給電アンテナ２２は、表示領域２１を囲むように設けられており、外部から供給される磁界または電界による誘導起電力を受ける。信号アンテナ２３は、ユーザの視線に基づいてユーザインターフェース操作を行なった結果などの信号処理部２７から供給された情報を外部に送信したり、表示画素に表示する情報などの外部から送信されてきた情報を受信して信号処理部２７に供給したりする。
【００４３】
発電部２４は、外部からの磁界等による電磁誘導によって給電アンテナ２２で生じた誘導電流を整流することで電力を得て蓄電し、表示装置１１の各部に電力を供給する。なお、発電部２４が所定方法により自ら発電を行なう場合や、充電池を有している場合には、表示装置１１に給電アンテナ２２を設けなくてもよい。
【００４４】
姿勢検出部２５は、電子ジャイロセンサや加速度センサなどからなり、表示装置１１が装着されたユーザの姿勢や動きを検出し、その検出結果を信号処理部２７に供給する。姿勢検出部２５は、例えば、ユーザの頭部の動きやユーザの姿勢を検出する。
【００４５】
涙検出部２６−１乃至２６−６は、ユーザから分泌される涙を採取し、得られた涙の分泌量の計測や涙の成分分析を行う。なお、以下、涙検出部２６−１乃至２６−６を特に区別する必要のない場合、単に涙検出部２６とも称する。
【００４６】
信号処理部２７は、表示装置１１全体を制御する。信号処理部２７は、例えば、表示領域２１の視線検出用の受光素子から供給された信号に基づいて、表示装置１１の各領域に配置された受光素子における光の受光量の違い（差）を検出することで、ユーザの視線を検出する。また、信号処理部２７は、例えば、表示領域２１の瞼開閉検出用の受光素子から供給された信号に基づいて、ユーザの瞼の開閉を検出する。
【００４７】
さらに、信号処理部２７は、姿勢検出部２５から供給された検出結果や、視線の検出結果、信号アンテナ２３により受信された情報などに基づいて表示素子駆動部２８を制御し、表示領域２１に画像等を表示させる。
【００４８】
具体的には、例えば表示装置１１がユーザの眼球に対して回転した場合、姿勢検出部２５ではその回転方向と回転量を検出することができる。そこで、信号処理部２７は表示素子駆動部２８を制御して、姿勢検出部２５から供給された眼球に対する表示装置１１の回転方向とは逆方向に表示装置１１の回転量だけ、表示領域２１に表示されている画像を回転させる。これにより、表示装置１１がユーザの眼球上で回転してしまうことがあっても、その結果生じる画像の回転を補正し、ユーザに対して画像を見やすく提示することができる。
【００４９】
表示素子駆動部２８は、信号処理部２７の制御にしたがって表示領域２１の表示素子を駆動させ、画像を表示させたり、信号処理部２７の制御にしたがって表示領域２１の発光素子を発光させたりする。
【００５０】
＜表示装置の機能の構成例＞
次に、以上において説明した表示装置１１の機能の構成例について説明する。
【００５１】
表示装置１１の機能的な構成は、例えば、図４に示す構成とされる。なお、図４において、図２における場合と対応する部分には同一の符号を付してあり、その説明は適宜省略する。
【００５２】
図４に示す表示装置１１は、表示領域２１、給電アンテナ２２、信号アンテナ２３、発電部２４、姿勢検出部２５、涙検出部２６、信号処理部２７、表示素子駆動部２８、圧力検出部５１、温度検出部５２、および記録部５３を有している。
【００５３】
また、表示領域２１には、発光素子６２、および受光素子６３が設けられている。また、涙検出部２６は、ＡＤ変換部６１を備えている。さらに、信号処理部２７は、生体状態検出部６４を有している。
【００５４】
圧力検出部５１は圧力センサなどからなり、表示装置１１に対して加えられた圧力を検出し、その検出結果を出力する。圧力検出部５１からの出力は、例えば瞼開閉判定等に用いられる。
【００５５】
温度検出部５２は、複数の温度センサからなり、ユーザの眼球面の温度や、ユーザの瞼の温度または外気温を測定し、その測定結果を出力する。
【００５６】
記録部５３は、例えば不揮発性のメモリなどからなり、信号処理部２７から供給されたデータを記録したり、記録しているデータを信号処理部２７に供給したりする。
【００５７】
また、表示装置１１では、受光素子６３、圧力検出部５１、姿勢検出部２５、涙検出部２６、および温度検出部５２の出力が、信号処理部２７に供給されるようになされている。さらに、表示装置１１では、記録部５３、信号アンテナ２３、給電アンテナ２２、および発電部２４も信号処理部２７と接続されている。
【００５８】
ＡＤ（アナログデジタル）変換部６１は、涙検出部２６に供給されてくる各種のデータをデジタル信号に変換して、信号処理部２７に供給する。
【００５９】
生体状態検出部６４は、涙検出部２６により、ユーザから分泌される涙の分泌量の計測や涙の成分分析の供給を受け付けると共に、計測結果や分析結果に基づいてユーザの生体状態を検出する。
【００６０】
＜涙検出部の構成例＞
次に、図５を参照して、涙検出部２６の構成例について説明する。涙検出部２６は、それぞれ採集口Ｇに対応する位置に設けられており、採集口Ｇより採集された涙を検出し、さらに、検出した涙の成分を分析するものである。尚、図５においては、左部が涙検出部２６の正面図であり、図中の右部が側面図である。
【００６１】
涙検出部２６は、微細孔８１からなる採集口Ｇに接する面、計量室８２、流路８３、差圧流量計８４、制御弁８５−１，８５−２、分析室８６−１乃至８６−５、マイクロポンプ８７、および排出弁８８を備えている。さらに、涙検出部２６は、ＡＤ（アナログデジタル）変換部６１を備えている。
【００６２】
微細孔８１は、毛細管からなり、採集口Ｇより、毛細管現象を利用して、図中のように涙Ｌを採集して計量室８２に供給する。計量室８２は、図示せぬ電極を備えており、採集された涙の容量を検出し、検出結果が、ＡＤ変換部６１に供給されて、デジタル信号として出力される。
【００６３】
計量室８２に蓄積された涙は、マイクロポンプ８７により流路８３を介して分析室８６へと搬送される。この間、流路８３には、差圧流量計８４が設けられており、流路８３を搬送された涙の流量が計測され、計測結果がＡＤ変換部６１に供給されて、デジタル信号として出力される。
【００６４】
分析室８６−１乃至８６−５は、それぞれ物質ａ乃至ｅの成分を分析し、分析結果をＡＤ変換部６１に供給し、デジタル信号として出力させる。尚、分析室８６の詳細な構成については、図６を参照して詳細を後述する。尚、物質ａ乃至ｅとは、物質を識別するために使用する名称であり、実際の物質名ではない。
【００６５】
制御弁８５−１，８５−２は、差圧流量計８４により計測された流量に応じて、循環する涙の量を調整するために、図示せぬ制御部により開度が制御される。
【００６６】
排出弁８８は、図示せぬ制御部により制御されて開閉し、分析が終了した涙を排出口より排出する。
【００６７】
尚、図５において、分析室８６−１乃至８６−５の５個が設けられる例が示されているが、それ以外の数の分析室８６が設けられるようにしてもよい。
【００６８】
＜分析室の構成例＞
次に、図６を参照して、上述した分析室８６の構成例について説明する。
【００６９】
分析室８６は、励起光源１０１、分析空間１０２、ヒータ１０３、レンズ１０４、および受光器（分光分析部）１０６を備えている。
【００７０】
励起光源１０１は、被検体である物質がヒータ１０３により蒸発（または昇華）されて分析空間１０２内で気化されて満たされた状態で、励起光を発生して照射する。このとき、気化された物質に対応した分光スペクトルが発生する。レンズ１０４は、この分光スペクトルを受光器（分光分析部）１０６で集光させる。
【００７１】
受光器１０６は、このような分光スペクトルにより被検体である物質を分析して特定すると共に、特定した検出物体の情報をＡＤ変換部１０６に供給して、デジタル信号として出力させる。
【００７２】
エアギャップ１０５は、ヒータ１０３において発生する熱により、眼球を傷つけたりしないようにするために設けられた熱伝達を低減させるための空気層である。すなわち、分析室８６は、表示装置１１が眼球に装着されるとき、図中の下部が眼球に接触した状態となる。従って、この状態で、ヒータ１０３による加熱がなされると、発生した熱が眼球に伝達し、熱傷を与える恐れがある。エアギャップ１０５は、比較的熱伝達率の低い空気で満たされた空間であるので、ヒータ１０３により発生された熱を眼球へと伝達するのを低減させ、眼球の熱傷等を防止する。
【００７３】
＜生体情報検出処理＞
次に、図７のフローチャートを参照して、生体情報検出処理について説明する。
【００７４】
ステップＳ１１において、採集口Ｇを介して、微細孔８１より眼球上の涙を、毛細管現象を利用して採集し、計量室８２に供給する。
【００７５】
ステップＳ１２において、計量室８２は、採集された涙の採集量を計量し、計量結果をＡＤ変換部６１に供給する。ＡＤ変換部６１は、涙の採集量をデジタル信号に変換して、信号処理部２７の生体状態検出部６４に供給する。
【００７６】
ステップＳ１３において、生体状態検出部６４は、採集量が十分であるか否かを判定する。すなわち、涙の採集量が少ない場合、分析精度が低下する恐れがあるため、所定の精度で検出可能な採集量となったか否かを判定する。
【００７７】
ステップＳ１３において、採集量が十分ではないと見なされた場合、処理は、ステップＳ１２に戻る。すなわち、十分な採集量であると見なされるまで、ステップＳ１２，Ｓ１３の処理が繰り返される。
【００７８】
そして、ステップＳ１３において、採集量が十分であると見なされた場合、処理は、ステップＳ１４に進む。
【００７９】
ステップＳ１４において、分析室８６は、採集された涙を分光解析により分析し、分析結果をＡＤ変換部６１に出力する。ＡＤ変換部６１は、分析結果をデジタル化して信号処理部２７の生体状態検出部６４に出力する。
【００８０】
ステップＳ１５において、生体状態検出部６４は、記録部５３を制御して分析結果を記録させる。
【００８１】
ステップＳ１６において、生態状態検出部６４は、分析結果に基づいて、生体の状態を検出する。
【００８２】
ステップＳ１７において、生態状態検出部６４は、生体状態が正しく適切なものであるか否かを判定する。すなわち、分析結果に基づいた、生体の状態が本来あるべきではない結果であるような場合、処理は、ステップＳ１６に戻る。この場合、分析方法を変更するなどしないと同様の結果となるため、例えば、閾値等を変化させるなどして、ステップＳ１６，Ｓ１７の処理が繰り返される。尚、この生体の状態が本来あるべき結果であるか否かについては、判断に必要な閾値などの情報を予め設定しておいても良いし、ユーザが直接判断し、その判断に応じた情報が入力されるようにしてもよい。このとき、分析結果に応じた生体の状態の判定方法をユーザが変更させるようにしてもよい。
【００８３】
そして、ステップＳ１７において、検出された生体の状態が正しく、適切なものであると判定された場合、処理は、ステップＳ１８に進む。
【００８４】
ステップＳ１９において、生体状態検出部６４は、信号アンテナ２３を制御して、検出された生体情報をスマートフォンなどに代表される携帯端末ＳＰに送信して、表示させる。
【００８５】
以上の処理により、生体の状態が携帯端末ＳＰに表示されるので、ユーザは、特段の意識をすることなく生体状態を認識することができる。尚、ステップＳ１７において、適切な生体の状態が検出されていると見なされるまで、分析方法や閾値が変更されながら、ステップＳ１６，Ｓ１７の処理が繰り返されることにより、分析方法が学習されているとも考えることができる。
【００８６】
従って、学習が完了し、ステップＳ１７において、生体情報が適切であるか否かを判定する必要がなくなった場合については、ステップＳ１７の処理を省略するようにしても良い。
【００８７】
図８は、ステップＳ１７に対応する生体情報が適切であるか否かを判定する処理を省略した生体状態検出処理を説明するフローチャートである。すなわち、図８のフローチャートにおけるステップＳ４１乃至Ｓ４７の処理は、図７のステップＳ１１乃至Ｓ１６，Ｓ１７の処理に対応するものである。尚、個々の処理については、図７のフローチャートを参照して説明した処理と同様であるので、図８の生体状態検出処理については、説明を省略するものとする。
【００８８】
＜涙の状態と生体状態との関係＞
次に、図９を参照して、涙の状態と生体状態との関係について一例を挙げて説明する。尚、図９における状態は、いずれも生体状態の１である。また、Ｍ，Ｎ，Ｏ，Ｐ，Ｑ，Ｒ，Ｓ，Ｔは、いずれも矢印方向の生体状態の状態遷移に寄与する涙の成分であり、以降においては、成分Ｍ，Ｎ，Ｏ，Ｐ，Ｑ，Ｒ，Ｓ，Ｔと称するものとする。
【００８９】
涙の状態に応じた生体状態は、大きく３つの状態に分類され、通常状態、反射刺激に対する防衛状態、および感情性の状態に分けられる。
【００９０】
ここで、通常状態とは、目を保護するために、まばたきとともに涙の膜を眼球に張る状態を表し、このような状態の涙を連続性の涙と称するものとする。従って、涙の状態が連続性の涙である場合には、生体状態が通常状態であるものと定義する。
【００９１】
また、反射刺激に対する防衛状態とは、目に異物が入ったり、玉ねぎの硫化アリルなどの刺激により、連続性の涙を流す状態より多くの量の涙を流して、目を保護しようとする状態を表し、このような涙を、刺激性の状態の涙と称するものとする。以降において、この状態を防衛状態とも称するものとする。
【００９２】
さらに、感情性の状態とは、嬉しい時や悲しい時など、感情の発露とともに涙を流す状態を表し、このような涙をエモーションティアとも称する。
【００９３】
この感情性の状態の涙は、さらに、感情性（Positive）の状態の涙、感情性（Neutral）の状態の涙、感情性（Negative）の状態の涙の３種類に分類される。
【００９４】
感情性（Positive）の状態の涙は、例えば、試験に合格した時、子供が生まれた時、何かの努力が報われた時、Negativeの状態からPositiveの状態に一気に変化した時など、感情がPositiveな状態に変化した状態の涙を表す。
【００９５】
感情性（Neutral）の状態の涙は、例えば、感情性（Positive）の状態と感情性（Negative）の状態が拮抗した状態の涙を表す。ここで、感情性（Positive）の状態と感情性（Negative）の状態が拮抗した状態の涙は、連続性の状態の涙である。ただし、人間であれば、個人差によってどちらかに遷移している状態が一般的で、便宜上、感情性の状態の涙の初期状態として定義する。
【００９６】
感情性（Negative）の状態の涙は、例えば、びっくりした時、恐怖体験をした、心的不安など、感情がNegativeな状態に変化した状態の涙を表す。尚、小指ぶつけて疼痛がずっと発生し、感情がNegativeの状態になった場合の涙は、この感情性（Negative）の状態の涙に分類される。
【００９７】
尚、上述した通常状態、および感情性（Neutral）の状態（初期状態）は、いずれも連続性の状態の涙であるので、通常状態も、初期状態に含まれるものとして説明を進めるものとする。
【００９８】
成分Ｍは、初期状態から防衛状態に遷移するのに寄与する涙の成分である。成分Ｍは、例えば、ラクトフェリンやＰ物質などであり、短期的に増加して閾値に到達した場合、防衛状態に遷移していると判断することができる。すなわち、この成分Ｍの変化で、ユーザが気づく痛みであるか、または、気づけない痛みであるかを把握することができる。
【００９９】
成分Ｎは、初期状態から感情性（Positive）の状態へと遷移するのに寄与する涙の成分である。成分Ｎは、例えば、アドレナリンなどであり、増加して閾値に到達した場合、感情性（Positive）の状態と判断することができる。すなわち、この成分Ｎの変化で、本人が気づく気分の高揚や興奮であるか、または気づけない気分の高揚や興奮であるかを把握することができる。
【０１００】
成分Ｏは、初期状態から感情性（Negative）の状態へと遷移するのに寄与する成分である。成分Ｏは、例えば、副腎皮質刺激ホルモン（ＡＣＴＨ）やノルアドレナリンなどであり、閾値に到達した場合、感情性（Negative）の状態と判断することができる。すなわち、この成分Ｏの変化で、本人が気づくストレスやフラストレーションであるか、または気づけないストレスやフラストレーションであるかを把握することができる。
【０１０１】
成分Ｑは、防衛状態から感情性の状態へと遷移するのに寄与する成分である。成分Ｑは、例えば、ラクトフェリンやＰ物質などであり、長期的に閾値を維持した場合、感情性の状態（疼痛由来）と判断することができる。尚、成分Ｑは、成分Ｍと類似した状態を判断するものであるが、閾値の継続時間が長いのが特徴であり、成分Ｑの変化で、本人が気づく継続的な痛みであるか、または気づけない継続的な痛みであるかを把握することができる。
【０１０２】
成分Ｐは、防衛状態から感情性（Positive）の状態へと遷移するのに寄与する成分である。成分Ｑは、防衛状態から感情性（Negative）の状態へと遷移するのに寄与する成分である。
【０１０３】
また、感情性（Positive）の状態へと遷移するのに寄与する成分は、成分Ｐの他にも上述した成分Ｎが存在し、感情性（Negative）の状態へと遷移するのに寄与する成分は、成分Ｑの他にも成分Ｏが存在する。このため、成分Ｎ，Ｏ，Ｐ，Ｑがそれぞれ閾値に到達したときの比率から、感情性（Positive）の状態と感情性（Negative）の状態との相互の状態とレベルを把握することができる。
【０１０４】
このため、感情性の絶対値、すなわち、感情性（Positive）の状態および感情性（Negative）の状態のいずれであるかだけを把握したい場合には、成分Ｎか、若しくは成分Ｐ、および成分Ｏ若しくは成分Ｑの両方に起因する成分の増減が閾値に到達したとき、その感情性の状態と判断することができる。
【０１０５】
成分Ｓは、初期状態から感情性（Positive）の状態へと、この後遷移していく前兆を示す成分である。成分Ｓは、例えば、フェニルエタノールアミン-N-メチル基転移酵素などであり、閾値に到達した場合、感情性（Positive）の状態に、この後遷移していく前兆であると判断することができる。
【０１０６】
成分Ｔは、感情性（Positive）の状態から初期状態へと、この後遷移していく前兆を示す成分である。
【０１０７】
成分Ｕは、初期状態から感情性（Negative）の状態へと、この後遷移していく前兆を示す成分である。成分Ｕは、例えば、ヒドロコルチゾン（コルチゾール）などが、閾値に到達した場合、感情性（Negative）の状態へと、この後遷移していく前兆と判断することができる。
【０１０８】
成分Ｖは、感情性（Negative）の状態から初期状態へと、この後遷移していく前兆を示す成分である。成分Ｖは、副腎皮質刺激ホルモン放出ホルモンなどが閾値に到達した場合、初期状態にこの後遷移していく前兆と判断することができる。
【０１０９】
すなわち、成分Ｔまたは成分Ｖは、感情性の絶対値が、この後抑制される前兆を示す成分であるので、成分Ｔまたは成分Ｖの両方に起因する成分である、セロトニン、モノアミン酸化酵素、カテコール-O-メチル基転移酵素などが閾値に到達した場合、初期状態へと、この後遷移していく前兆であると判断することができる。
【０１１０】
＜涙の成分と時間推移の関係＞
次に、図１０を参照して、涙の成分と時間推移の関係について説明する。図１０は、縦軸が成分Ａの濃度を、横軸が経過時間ｔ（ｓ）をそれぞれ示している。尚、図１０においては、秒（ｓ）単位の変異を示している。
【０１１１】
図１０で示されるように、初期基準濃度から最大濃度に達するまでの時間が最大濃度到達時間であることを示している。また、初期基準濃度から最大濃度を経て、半減濃度に達するまでの時間が半減濃度到達時間であることが示されている。
【０１１２】
図１０で示されるように、涙の成分は、数百秒程度の時間の経過とともに変動するものもあるが、図１１で示されるように、数時間程度の時間の経過により変化するものもある。尚、図１１においては、所定時間毎のΔｔの累積的な成分Ａの変動を示したものであり、縦軸が成分Ａの濃度のΔｔごとの累積値（積分値）であり、横軸が経過時間Ｔ（ｓ）である。図１１においては、時間の単位が時間（hour）とされている。
【０１１３】
従って、涙の成分の変化については、物質などに応じて、適切な時間経過に応じた、例えば、秒単位、分単位、時間単位、日単位などを換えた変動量（グラフの傾き）、または、変動パターン等を利用して変化を判断する必要がある。
【０１１４】
＜感情事前予測演算処理＞
次に、図１２のフローチャートを参照して、感情事前予測演算処理について説明する。
【０１１５】
ステップＳ７１において、生体状態検出部６４は、過去の成分Ｓ，Ｔ，Ｕ，Ｖの分析結果を記録部５３より読み出して、それらの各成分の基準値を求める。すなわち、記録部５３には、過去に求められた成分Ｓ，Ｔ，Ｕ，Ｖの分析結果が記録されているので、これらが読み出される。
【０１１６】
ステップＳ７２において、生体状態検出部６４は、各成分の基準値に基づいて、基準変動量Ｓ’，Ｔ’，Ｕ’，Ｖ’を求める。
【０１１７】
ステップＳ７３において、生体状態検出部６４は、現在時刻における成分Ｓ，Ｔ，Ｕ，Ｖの分析結果を記録部５３より読み出して、それらの各成分のΔｔ変動量である変動量ＳΔｔ，ＴΔｔ，ＵΔｔ，ＶΔｔを求める。
【０１１８】
ステップＳ７４において、生体状態検出部６４は、成分Ｓ，Ｔ，Ｕ，Ｖについて、Δｔ変動量である変動量ＳΔｔ，ＴΔｔ，ＵΔｔ，ＶΔｔと、基準変動量Ｓ’，Ｔ’，Ｕ’，Ｖ’との差分Ｓ”，Ｔ”，Ｕ”，Ｖ”（＝α１（ＳΔｔ−Ｓ’），α２（ＴΔｔ−Ｔ’），α３（ＵΔｔ−Ｕ’），α４（ＶΔｔ−Ｖ’））を求める。尚、ここで、α１乃至α４は、成分係数であり、各成分の分泌比率を係数化したものであり、比較する数値を正規化するためのものである。
【０１１９】
ステップＳ７５において、生体状態検出部６４は、感情性（Positive）（感情性ポジティブ）への遷移が生じる度合いPre_Pos_incを差分（Ｓ”−Ｔ”）として算出する。
【０１２０】
ステップＳ７６において、生体状態検出部６４は、感情性（Negative）（感情性ネガティブ）への遷移が生じる度合いPre_Neg_incを差分（Ｕ”−Ｖ”）として算出する。
【０１２１】
ステップＳ７７において、生体状態検出部６４は、感情性（Positive）への遷移が生じる度合いPre_Pos_incと感情性（Negative）への遷移が生じる度合いPre_Neg_incとの差分（Ｕ”−Ｖ”）を算出し、０より大きいか否かを判定する。すなわち、生体状態検出部６４は、感情性（Positive）の状態へ遷移が生じ易いか、感情性（Negative）への遷移が生じ易いかを判定する。
【０１２２】
ステップＳ７７において、感情性（Positive）への遷移が生じる度合いPre_Pos_incと感情性（Negative）への遷移が生じる度合いPre_Neg_incとの差分が０より大きく、感情性（Positive）への遷移が生じ易いと判定された場合、処理は、ステップＳ７８に進む。
【０１２３】
ステップＳ７９において、生体状態検出部６４は、表示素子駆動部２８を制御して、感情性（Positive）の状態に遷移が生じる旨を示す情報を、信号アンテナ２３を介して携帯端末ＳＰに送信して表示させる。
【０１２４】
一方、ステップＳ７７において、感情性（Positive）への遷移が生じる度合いPre_Pos_incと感情性（Negative）への遷移が生じる度合いPre_Neg_incとの差分が０より小さく、感情性（Negative）への遷移が生じ易いと判定された場合、処理は、ステップＳ７８に進む。
【０１２５】
ステップＳ７８において、生体状態検出部６４は、表示素子駆動部２８を制御して、感情性（Negative）の状態に遷移が生じる旨を示す情報を、信号アンテナ２３を介して携帯端末ＳＰに送信して表示させる。
【０１２６】
ステップＳ８０において、生体状態検出部６４は、感情性（Positive）への遷移が生じる度合いPre_Pos_incと感情性（Negative）への遷移が生じる度合いPre_Neg_incとの差分（Ｕ”−Ｖ”）を事前予測感情レベルに設定し、記録部５３に記録する。
【０１２７】
ステップＳ８１において、生体状態検出部６４は、事前予測感情レベルに基づいて、事前予測感情レベルの変動予測を行い、表示素子駆動部２８を制御して、変動予測結果を、信号アンテナ２３を介して携帯端末ＳＰに送信して表示させる。
【０１２８】
すなわち、例えば、生体状態検出部６４は、事前予測感情レベルが所定の閾値を超えた場合、または、閾値を超えたタイミングから所定の時間ΔTが経過した場合、感情性（Positive）の状態、または、感情性（Negative）の状態のいずれかに遷移する可能性があるのかを表示させる。また、感情性（Positive）の成分がＡだけ増加して、感情性（Negative）の成分がＢだけ減少した場合、閾値を超えたタイミングから所定の時間ΔTが経過した後、感情性（Positive）の状態、または、感情性（Negative）の状態のいずれかに遷移する可能性があるのかを表示するようにしてもよい。さらに、後述する感情演算処理により特定された感情と、予測との関係から予測される感情の状態を学習し、学習結果に基づいて予測するようにしてもよい。
【０１２９】
また、ステップＳ７１において、読み出される過去に求められた成分Ｓ，Ｔ，Ｕ，Ｖの分析結果は、例えば、今現在の状態の直前の状態から、今現在の状態へと遷移する同一の遷移パターンであって、状態が遷移してから所定の時間分の分析結果である。すなわち、例えば、今現在の状態が初期状態であり、その直前の状態が防衛状態である場合、過去において、初期状態から防衛状態に遷移したタイミングから所定時間分の成分Ｓ，Ｔ，Ｕ，Ｖの分析結果が読み出される。そして、生体状態検出部６４は、読み出された過去に求められた成分Ｓ，Ｔ，Ｕ，Ｖの分析結果における平均などから基準値の波形を求め、今現在の状態に遷移してからの時間経過と一致するタイミングの、基準値の波形上の傾きを基準変動量Ｓ’，Ｔ’，Ｕ’，Ｖ’として算出する。
【０１３０】
このように状態遷移が同一の状態遷移パターンにおける過去の成分Ｓ，Ｔ，Ｕ，Ｖの分析結果から、基準変動量Ｓ’，Ｔ’，Ｕ’，Ｖ’を求めるようにすることで、感情事前予測演算の精度を向上させる。
【０１３１】
結果として、生体状態の情報として、感情性の状態の遷移を事前予想することが可能となる。
【０１３２】
また、図１０，図１１を参照して説明したように、使用するΔｔ変動量についても、秒単位、分単位、時間単位、日単位で設定する範囲を変化させることで、短期的な予測や、長期的な予測も可能となる。さらに、以上においては、Δｔ変動量を用いた例について説明してきたが、Δｔ変動量に代えて、変動パターンを用いて事前予想するようにしてもよい。
【０１３３】
＜感情演算処理＞
次に、図１３のフローチャートを参照して、感情演算処理について説明する。
【０１３４】
ステップＳ１１１において、生体状態検出部６４は、過去の成分Ｎ，Ｏ，Ｐ，Ｑの分析結果を記録部５３より読み出して、それらの各成分の基準値を求める。すなわち、記録部５３には、過去に求められた成分Ｎ，Ｏ，Ｐ，Ｑの分析結果が記録されているので、これらが読み出される。ここで、読み出される過去に求められた成分Ｎ，Ｏ，Ｐ，Ｑの分析結果については、上述したステップＳ７１において読み出される成分Ｓ，Ｔ，Ｕ，Ｖの分析結果と同様の趣旨の分析結果が読み出される。
【０１３５】
ステップＳ１１２において、生体状態検出部６４は、各成分の基準値に基づいて、基準変動量Ｎ’，Ｏ’，Ｐ’，Ｑ’を求める。
【０１３６】
ステップＳ１１３において、生体状態検出部６４は、現在時刻における成分Ｎ，Ｏ，Ｐ，Ｑの分析結果を記録部５３より読み出して、それらの各成分のΔｔ変動量である変動量ＮΔｔ，ＯΔｔ，ＰΔｔ，ＱΔｔを求める。
【０１３７】
ステップＳ１１４において、生体状態検出部６４は、成分Ｎ，Ｏ，Ｐ，Ｑについて、Δｔ変動量である変動量ＮΔｔ，ＯΔｔ，ＰΔｔ，ＱΔｔと、基準変動量Ｎ’，Ｏ’，Ｐ’，Ｑ’との差分Ｎ”，Ｏ”，Ｐ”，Ｑ”（＝β１（ＮΔｔ−Ｎ’），β２（ＯΔｔ−Ｏ’），β３（ＰΔｔ−Ｐ’），β４（ＱΔｔ−Ｑ’））を求める。尚、ここで、β１乃至β４は、成分係数であり、各成分の分泌比率を係数化したものであり、比較する数値を正規化するためのものである。
【０１３８】
ステップＳ１１５において、生体状態検出部６４は、感情性（Positive）の度合いPos_incを和｜Ｎ”＋Ｐ”｜として算出する。
【０１３９】
ステップＳ１１６において、生体状態検出部６４は、感情性（Negative）の度合いNeg_incを和｜Ｏ”＋Ｑ”｜として算出する。
【０１４０】
ステップＳ１１７において、生体状態検出部６４は、感情性（Positive）の度合いPos_incと感情性（Negative）の度合いNeg_incとの差分を演算し、０より大きいか否かを判定する。すなわち、生体状態検出部６４は、感情性（Positive）の状態であるか否かを判定する。
【０１４１】
ステップＳ１１７において、感情性（Positive）への度合いPos_incと感情性（Negative）の度合いNeg_incとの差分が０より大きく、感情性（Positive）の状態であると判定された場合、処理は、ステップＳ１１９に進む。
【０１４２】
ステップＳ１１９において、生体状態検出部６４は、表示素子駆動部２８を制御して、感情性（Positive）の状態である旨を示す情報を、信号アンテナ２３を制御して、携帯端末ＳＰに送信し、表示させる。
【０１４３】
一方、ステップＳ１１７において、感情性（Positive）への度合いPos_incと感情性（Negative）の度合いNeg_incとの差分が０より小さく、感情性（Negative）の状態であると判定された場合、処理は、ステップＳ１１８に進む。
【０１４４】
ステップＳ１１８において、生体状態検出部６４は、表示素子駆動部２８を制御して、感情性（Negative）の状態である旨を示す情報を、信号アンテナ２３を制御して、携帯端末ＳＰに送信し、表示させる。
【０１４５】
ステップＳ１２０において、生体状態検出部６４は、感情性（Positive）の度合いPos_incと感情性（Negative）の度合いNeg_incとの差分を感情レベルに設定し、記録部５３に記録する。
【０１４６】
ステップＳ１２１において、生体状態検出部６４は、感情レベルに基づいて、感情レベルの変動予測を行い、変動予測結果を、信号アンテナ２３を制御して、携帯端末ＳＰに送信し、表示させる。
【０１４７】
すなわち、例えば、生体状態検出部６４は、感情レベルが所定の閾値を超えた場合、または、閾値を超えたタイミングから所定の時間ΔTが経過した場合、感情性（Positive）の状態、または、感情性（Negative）の状態のいずれかに遷移する可能性があるのかを表示させる。また、感情性（Positive）の成分がＡだけ増加して、感情性（Negative）の成分がＢだけ減少した場合、閾値を超えたタイミングから所定の時間ΔTが経過した後、感情性（Positive）の状態、または、感情性（Negative）の状態のいずれかに遷移する可能性があるのかを表示させるようにしてもよい。
【０１４８】
また、所定の時間が経過した後、各成分の変動量にユーザが状態を入力したデータを使って予測できるようにしてもよいし、各成分の変動量の相関から予測するようにしてもよい。さらに、起きた時/ごはんを食べる時/通勤/仕事中/帰宅/家族と会話/就寝前といった環境情報を外部テキストマイニングデータとして、これらの相関に基づいて予測するようにしてもよい。さらに、所定の時間が経過した後の予測を移動平均予測または近似値予測するようにしてもよい。
【０１４９】
＜激痛・疼痛演算処理＞
次に、図１４のフローチャートを参照して、激痛・疼痛演算処理について説明する。
【０１５０】
ステップＳ１５１において、生体状態検出部６４は、過去の成分Ｍの分析結果を記録部５３より読み出して、成分の基準値を求める。すなわち、記録部５３には、過去に求められた成分Ｍの分析結果が記録されているので、これらが読み出される。
【０１５１】
ステップＳ１５２において、生体状態検出部６４は、成分Ｍの基準値に基づいて、基準変動量Ｍ’を求める。
【０１５２】
ステップＳ１５３において、生体状態検出部６４は、現在時刻における成分Ｍの分析結果を記録部５３より読み出して、成分ＭのΔｔ変動量である変動量ＭΔｔを求める。
【０１５３】
ステップＳ１５４において、生体状態検出部６４は、成分Ｍについて、Δｔ変動量である変動量ＭΔｔと、基準変動量Ｍ’との差分Ｍ”（＝γ１（ＭΔｔ−Ｍ’）を求める。尚、ここで、γ１は、成分係数であり、各成分の分泌比率を係数化したものであり、比較する数値を正規化するためのものである。
【０１５４】
ステップＳ１５５において、生体状態検出部６４は、差分Ｍ”が所定の閾値より大きいか否かを判定する。すなわち、生体状態検出部６４は、疼痛に起因する感情性（Negative）であるか、または防衛状態であるか否かを判定する。
【０１５５】
ステップＳ１５５において、差分Ｍ”が閾値より大きいと判定された場合、疼痛に起因する感情性（Negative）であるか、または防衛状態であるものとみなされて、処理は、ステップＳ１５６に進む。
【０１５６】
ステップＳ１５６において、生体状態検出部６４は、５乃至６分程度の時間ΔＴ１の間、差分Ｍ”が閾値よりも大きい状態が継続しているか否かを判定する。
【０１５７】
ステップＳ１５６において、５乃至６分程度の時間ΔＴ１の間、差分Ｍ”が閾値よりも大きい状態が継続しているとみなされた場合、処理は、ステップＳ１５７に進む。
【０１５８】
ステップＳ１５７において、生体状態検出部６４は、表示素子駆動部２８を制御して、防衛状態である旨を示す情報を、信号アンテナ２３を制御して、携帯端末ＳＰに送信し、表示させる。すなわち、成分Ｍがある程度短期的に閾値よりも高い場合には、外部刺激によるものである可能性が高いので、防衛状態であると判定される。
【０１５９】
一方、ステップＳ１５６において、５乃至６分程度の時間ΔＴ１の間、差分Ｍ”が閾値よりも大きい状態が継続していないとみなされた場合、ステップＳ１５７の処理はスキップされる。
【０１６０】
ステップＳ１５８において、生体状態検出部６４は、１日程度の時間ΔＴＮの間、差分Ｍ”が閾値よりも大きい状態が継続しているか否かを判定する。
【０１６１】
ステップＳ１５８において、１日程度の時間ΔＴＮの間、差分Ｍ”が閾値よりも大きい状態が継続しているとみなされた場合、処理は、ステップＳ１５９に進む。
【０１６２】
ステップＳ１５９において、生体状態検出部６４は、表示素子駆動部２８を制御して、疼痛に起因する感情性（Negative）の状態である旨を示す情報を、信号アンテナ２３を制御して、携帯端末ＳＰに送信し、表示させる。すなわち、１日程度というある程度長期的な期間、成分Ｍが所定の閾値よりも高い場合には、当初は、外部刺激によるものであっても、痛みが継続することにより、疼痛に起因する感情性（Negative）の状態であると判定される。
【０１６３】
一方、ステップＳ１５８において、１日程度の時間ΔＴＮの間、差分Ｍ”が閾値よりも大きい状態が継続していないとみなされた場合、ステップＳ１５９の処理はスキップされる。
【０１６４】
ステップＳ１６０において、生体状態検出部６４は、差分Ｍ”を刺激・疼痛レベルに設定し、記録部５３に記録する。
【０１６５】
ステップＳ１６１において、生体状態検出部６４は、刺激・疼痛レベルに基づいて、刺激・疼痛レベルの変動予測を行い、表示素子駆動部２８を制御して、変動予測結果を、信号アンテナ２３を制御して、携帯端末ＳＰに送信し、表示させる。
【０１６６】
すなわち、例えば、生体状態検出部６４は、刺激・疼痛レベルの変動パターンの傾向分析から、新しい刺激・疼痛レベルの変化がどのように推移するかを予測して表示させるようにしてもよい。
【０１６７】
また、生体状態検出部６４は、刺激・疼痛レベルが、閾値を超えた場合、または、閾値を超えてから所定の時間が経過したら、刺激・疼痛レベルの変化がどのように推移するかを予測するようにしてもよい。
【０１６８】
さらに、生体状態検出部６４は、所定の時間が経過した後、各成分の変動量にユーザが状態を入力したデータを使って刺激・疼痛レベルの変化を予測するようにしてもよい。また、生体状態検出部６４は、各成分の変動量の相関から刺激・疼痛レベルの変化を予測するようにしてもよい。
【０１６９】
さらに、生体状態検出部６４は、起きた時/ごはんを食べる時/通勤/仕事中/帰宅/家族と会話/就寝前といった環境情報を外部テキストマイニングデータと一緒に記憶して予測するようにしてもよいし、所定の時間が経過した後の予測を移動平均予測または近似値予測するようにしてもよい。
【０１７０】
また、生体状態検出部６４は、例えば、ユーザが認識できない刺激・疼痛レベルの変動が発生するかを予測してユーザに知らせるのみならず、さらに、刺激・疼痛レベルにより、必要に応じて医療機関等に報告するようにしてもよい。
【０１７１】
＜涙分泌量演算処理＞
以上においては、図９を参照して説明した感情性の状態と反射刺激に対する防衛状態といったユーザの生体の状態がその他の状態へと遷移するのに寄与する成分の検出により、生体の状態を特定する処理や、この先で、どのように生体の状態が変化するのかを予測する処理について説明してきた。このため、図９で定義されていない生体状態についても、所定の生体状態への遷移に寄与する成分を検出することで応用することができる。
【０１７２】
例えば、涙の分泌を誘発する塩化マンガン（II）や酸化マンガン（III）を成分Ｚとして測定し、涙分泌量を演算する涙分泌量演算処理に適用するようにしても良い。そこで、次に、図１４のフローチャートを参照して、涙分泌量演算処理について説明する。
【０１７３】
ステップＳ１９１において、生体状態検出部６４は、過去の成分Ｚの分析結果を記録部５３より読み出して、成分の基準値を求める。すなわち、記録部５３には、過去に求められた成分Ｚの分析結果が記録されているので、これらが読み出される。
【０１７４】
ステップＳ１９２において、生体状態検出部６４は、成分Ｚの基準値に基づいて、基準変動量Ｚ’を求める。
【０１７５】
ステップＳ１９３において、生体状態検出部６４は、現在時刻における成分Ｚの分析結果を記録部５３より読み出して、成分ＺのΔｔ変動量である変動量ＺΔｔを求める。
【０１７６】
ステップＳ１９４において、生体状態検出部６４は、成分Ｚについて、Δｔ変動量である変動量ＺΔｔと、基準変動量Ｚ’との差分Ｚ”（＝Θ１（ＺΔｔ−Ｚ’）を求める。尚、ここで、Θ１は、成分係数であり、各成分の分泌比率を係数化したものであり、比較する数値を正規化するためのものである。
【０１７７】
ステップＳ１９５において、生体状態検出部６４は、差分Ｚ”を涙分泌レベルに設定し、記録部５３に記録する。
【０１７８】
ステップＳ１９６において、生体状態検出部６４は、涙分泌レベルに基づいて、涙分泌レベルの変動予測を行い、表示素子駆動部２８を制御して、変動予測結果を信号アンテナ２３を制御して、携帯端末ＳＰに送信し、表示させる。
【０１７９】
すなわち、例えば、生体状態検出部６４は、涙分泌レベルの変動パターンの傾向分析から、新しい涙分泌レベルの変化がどのように推移するかを予測して表示させるようにしてもよい。
【０１８０】
また、生体状態検出部６４は、涙分泌レベルが、閾値を超えた場合、または、閾値を超えてから所定の時間が経過したら、涙分泌レベルの変化がどのように推移するかを予測するようにしてもよい。
【０１８１】
さらに、生体状態検出部６４は、所定の時間が経過した後、各成分の変動量にユーザが状態を入力したデータを使って涙分泌レベルの変化を予測するようにしてもよい。また、生体状態検出部６４は、成分Ｏまたは成分Ｑ（副腎皮質刺激ホルモン（ＡＣＴＨ））の変動量の相関から涙分泌レベルの変化を予測するようにしてもよい。
【０１８２】
さらに、生体状態検出部６４は、起きた時/ごはんを食べる時/通勤/仕事中/帰宅/家族と会話/就寝前といった環境情報を外部テキストマイニングデータと一緒に記憶して予測するようにしてもよいし、所定の時間が経過した後の予測を移動平均予測または近似値予測するようにしてもよい。
【０１８３】
＜覚醒・睡眠事前予測演算処理＞
以上においては、涙分泌量を成分Ｚにより予測する例について説明してきたが、例えば、成分Ｓ，Ｔ，Ｕ，Ｖを用いて、事前感情予測演算処理を実行する例と同様の手法により、事前覚醒成分と事前睡眠成分を定義して、覚醒・睡眠事前予測演算処理を実行するようにして、覚醒・睡眠事前予測といった生体状態を検出するようにしても良い。ここで、事前覚醒成分は、例えば、アドレナリンなどであり、また、事前睡眠成分は、ノルアドレナリンなどである。
【０１８４】
そこで、次に、図１６のフローチャートを参照して、覚醒・睡眠事前予測演算処理について説明する。
【０１８５】
ステップＳ２２１において、生体状態検出部６４は、過去の事前覚醒成分ＡＡと事前睡眠成分ＢＢの分析結果を記録部５３より読み出して、それらの各成分の基準値を求める。すなわち、記録部５３には、過去に求められた成分ＡＡ，ＢＢの分析結果が記録されているので、これらが読み出される。
【０１８６】
ステップＳ２２２において、生体状態検出部６４は、各成分の基準値に基づいて、基準変動量ＡＡ’，ＢＢ’を求める。
【０１８７】
ステップＳ２２３において、生体状態検出部６４は、現在時刻における成分ＡＡ，ＢＢの分析結果を記録部５３より読み出して、それらの各成分のΔｔ変動量である変動量ＡＡΔｔ，ＢＢΔｔを求める。
【０１８８】
ステップＳ２２４において、生体状態検出部６４は、成分ＡＡ，ＢＢについて、Δｔ変動量である変動量ＡＡΔｔ，ＢＢΔｔと、基準変動量ＡＡ’，ＢＢ’との差分ＡＡ”，ＢＢ”（＝η１（ＡＡΔｔ−ＡＡ’），η２（ＢＢΔｔ−ＢＢ’）を求める。尚、ここで、η１，η２は、成分係数であり、各成分の分泌比率を係数化したものであり、比較する数値を正規化するためのものである。
【０１８９】
ステップＳ２２５において、生体状態検出部６４は、覚醒への遷移が生じる度合いPre_Awa_incをＡＡ”として算出する。
【０１９０】
ステップＳ２２６において、生体状態検出部６４は、睡眠への遷移が生じる度合いPre_Dor_incをＢＢ”として算出する。
【０１９１】
ステップＳ２２７において、生体状態検出部６４は、覚醒への遷移が生じる度合いPre_Awa_incと睡眠への遷移が生じる度合いPre_Dor_incとの差分を求め、０より大きいか否かを判定する。すなわち、生体状態検出部６４は、覚醒へ遷移が生じ易いか、睡眠への遷移が生じ易いかを判定する。
【０１９２】
ステップＳ２２７において、覚醒への遷移が生じる度合いPre_Awa_incと睡眠への遷移が生じる度合いPre_Dor_incとの差分が０より大きく、覚醒への遷移が生じ易いと判定された場合、処理は、ステップＳ２２９に進む。
【０１９３】
ステップＳ２２９において、生体状態検出部６４は、覚醒の状態に遷移が生じる旨を示す情報を、信号アンテナ２３を制御して、携帯端末ＳＰに送信し、表示させる。
【０１９４】
一方、ステップＳ２２７において、覚醒への遷移が生じる度合いPre_Awa_incと睡眠への遷移が生じる度合いPre_Dor_incとの差分が０より小さく、睡眠への遷移が生じ易いと判定された場合、処理は、ステップＳ２２８に進む。
【０１９５】
ステップＳ２２８において、生体状態検出部６４は、睡眠の状態に遷移が生じる旨を示す情報を、信号アンテナ２３を制御して、携帯端末ＳＰに送信し、表示させる。
【０１９６】
ステップＳ２３０において、生体状態検出部６４は、覚醒への遷移が生じる度合いPre_Awa_incと睡眠への遷移が生じる度合いPre_Dor_incとの差分を事前予測覚醒・睡眠レベルに設定し、記録部５３に記録する。
【０１９７】
ステップＳ２３１において、生体状態検出部６４は、事前予測覚醒・睡眠レベルに基づいて、事前予測覚醒・睡眠レベルの変動予測を行い、変動予測結果を、信号アンテナ２３を制御して、携帯端末ＳＰに送信し、表示させる。
【０１９８】
すなわち、例えば、生体状態検出部６４は、事前予測覚醒・睡眠レベルが所定の閾値を超えた場合、または、閾値を超えたタイミングから所定の時間ΔTが経過した場合、覚醒の状態、または、睡眠の状態のいずれかに遷移する可能性があるのかを表示させる。また、覚醒の成分がＡだけ増加して、睡眠の成分がＢだけ減少した場合、閾値を超えたタイミングから所定の時間ΔTが経過した後、覚醒の状態、または、嗣明の状態のいずれかに遷移する可能性があるのかを表示させるようにしてもよい。さらに、後述する覚醒・睡眠演算処理により特定された感情と、予測との関係から予測される感情の状態を学習し、学習結果に基づいて予測するようにしてもよい。
【０１９９】
生体状態検出部６４は、所定の時間が経過した後、各成分の変動量にユーザが状態を入力したデータを使って予測するようにしてもよい。また、生体状態検出部６４は、成分Ｏまたは成分Ｑ（副腎皮質刺激ホルモン（ＡＣＴＨ））の変動量の相関から事前予測覚醒・睡眠レベルを予測してもよいし、起きた時/ごはんを食べる時/通勤/仕事中/帰宅/家族と会話/就寝前といった環境情報を外部テキストマイニングデータと一緒に予測するようにしてもよい。さらに、生体状態検出部６４は、所定の時間が経過した後の予測を移動平均予測または近似値予測するようにしてもよい。
【０２００】
＜覚醒・睡眠演算処理＞
以上においては、覚醒・睡眠事前予測演算処理について説明してきたが、感情演算処理と同様に、覚醒成分と睡眠成分とから覚醒・睡眠といった生体状態を検出することもできる。そこで、次に、図１７のフローチャートを参照して、覚醒・睡眠演算処理について説明する。尚、ここでは、覚醒成分ＣＣは、例えば、フェニルエタノールアミン-N-メチル基転移酵素 （phenylethanolamine N-methyltransferase, PNMT）などであり、睡眠成分ＤＤは、例えば、ドーパミンβ水酸化酵素 （dopamine β-hydroxylase, DBH）などである。
【０２０１】
ステップＳ２６１において、生体状態検出部６４は、過去の成分ＣＣ，ＤＤの分析結果を記録部５３より読み出して、それらの各成分の基準値を求める。すなわち、記録部５３には、過去に求められた成分ＣＣ，ＤＤの分析結果が記録されているので、これらが読み出される。
【０２０２】
ステップＳ２６２において、生体状態検出部６４は、各成分の基準値に基づいて、基準変動量ＣＣ’，ＤＤ’を求める。
【０２０３】
ステップＳ２６３において、生体状態検出部６４は、現在時刻における成分ＣＣ，ＤＤの分析結果を記録部５３より読み出して、それらの各成分のΔｔ変動量である変動量ＣＣΔｔ，ＤＤΔｔを求める。
【０２０４】
ステップＳ２６４において、生体状態検出部６４は、成分ＣＣ，ＤＤについて、Δｔ変動量である変動量ＣＣΔｔ，ＤＤΔｔと、基準変動量ＣＣ’，ＤＤ’との差分ＣＣ”，ＤＤ”（＝μ１（ＣＣΔｔ−ＣＣ’），μ２（ＤＤΔｔ−ＤＤ’）を求める。尚、ここで、μ１，μ２は、成分係数であり、各成分の分泌比率を係数化したものであり、比較する数値を正規化するためのものである。
【０２０５】
ステップＳ２６５において、生体状態検出部６４は、覚醒の度合いAwa_incを｜ＣＣ”｜として算出する。
【０２０６】
ステップＳ２６６において、生体状態検出部６４は、睡眠の度合いDor_incを｜ＤＤ”｜として算出する。
【０２０７】
ステップＳ２６７において、生体状態検出部６４は、覚醒の度合いAwa_incと睡眠の度合いDor_incとの差分を減算し、０より大きいか否かを判定する。すなわち、生体状態検出部６４は、覚醒の状態であるか否かを判定する。
【０２０８】
ステップＳ２６７において、覚醒への度合いAwa_incと睡眠の度合いDor_incとの差分が０より大きく、覚醒状態であると判定された場合、処理は、ステップＳ２６９に進む。
【０２０９】
ステップＳ２６９において、生体状態検出部６４は、覚醒の状態である旨を示す情報を、信号アンテナ２３を制御して、携帯端末ＳＰに送信し、表示させる。
【０２１０】
一方、ステップＳ２６７において、覚醒の度合いAwa_incと睡眠の度合いDor_incとの差分が０より小さく、睡眠状態であると判定された場合、処理は、ステップＳ２６８に進む。
【０２１１】
ステップＳ２６８において、生体状態検出部６４は、睡眠の状態である旨を示す情報を、信号アンテナ２３を制御して、携帯端末ＳＰに送信し、表示させる。
【０２１２】
ステップＳ２７０において、生体状態検出部６４は、覚醒への度合いAwa_incと睡眠の度合いDor_incとの差分を覚醒・睡眠レベルに設定し、記録部５３に記録する。
【０２１３】
ステップＳ２７１において、生体状態検出部６４は、覚醒・睡眠レベルに基づいて、覚醒・睡眠レベルの変動予測を行い、表示素子駆動部２８を制御して、変動予測結果を、信号アンテナ２３を制御して、携帯端末ＳＰに送信し、表示させる。
【０２１４】
すなわち、例えば、生体状態検出部６４は、覚醒・睡眠レベルが所定の閾値を超えた場合、または、閾値を超えたタイミングから所定の時間ΔTが経過した場合、覚醒・睡眠の状態のいずれかに遷移する可能性があるのかを表示させるようにしてもよい。また、覚醒の成分がＡだけ増加して、睡眠の成分がＢだけ減少した場合、閾値を超えたタイミングから所定の時間ΔTが経過した後、覚醒の状態、または、睡眠の状態のいずれかに遷移する可能性があるのかを表示させるようにしてもよい。
【０２１５】
所定の時間が経過した後、各成分の変動量にユーザが状態を入力したデータを使って予測できるようにしてもよいし、各成分の変動量の相関から予測するようにしてもよい。さらに、起きた時/ごはんを食べる時/通勤/仕事中/帰宅/家族と会話/就寝前といった環境情報を外部テキストマイニングデータとして、これらの相関に基づいて予測するようにしてもよい。さらに、所定の時間が経過した後の予測を移動平均予測または近似値予測するようにしてもよい。
【０２１６】
＜ドライアイズ判定処理＞
以上においては、涙の成分から各種の生体状態の情報を検出する例について説明してきたが、涙の分泌量、成分、および分泌頻度などからドライアイズであるか否かを示す情報を生体状態の情報として検出するようにしても良い。そこで、次に、図１８のフローチャートを参照して、ドライアイズ判定処理について説明する。
【０２１７】
ステップＳ３０１において、採集口Ｇを介して、微細孔８１より眼球上の涙を採集し、計量室８２に供給する。
【０２１８】
ステップＳ３０２において、計量室８２は、採集された涙の採集量を計量し、計量結果をＡＤ変換部６１に供給する。ＡＤ変換部６１は、涙の採集量をデジタル信号に変換して、信号処理部２７の生体状態検出部６４に供給する。
【０２１９】
ステップＳ３０３において、分析室８６は、採集された涙を分光解析により分析し、分析結果をＡＤ変換部６１に出力する。ＡＤ変換部６１は、分析結果をデジタル化して信号処理部２７の生体状態検出部６４に出力する。
【０２２０】
ステップＳ３０４において、生体状態検出部６４は、涙の分泌頻度を検出し、記録部５３を制御して分泌頻度の情報を記録させる。
【０２２１】
ステップＳ３０５において、生態状態検出部６４は、涙の採集量、成分分析結果、および涙の分泌頻度に基づいて、ドライアイズ症候群であるか否かを判定し、判定結果を、信号アンテナ２３を制御して、携帯端末ＳＰに送信し、表示させる。
【０２２２】
以上の処理により、ドライアイズ症候群であるか否かの判定結果を、ユーザの生体情報として検出し、ユーザに告知することが可能となる。また、涙の採集量、成分分析結果、および涙の分泌頻度のデータを信号アンテナ２３を通じて外部機器に送信し、外部機器自身や外部機器とデータサーバを用いた判定システムにより、ドライアイズ症候群であるかどうかを推定してもよい。
【０２２３】
さらに推定結果により、予め、催涙物質が蓄えられた容器を有する効果器から催涙物質を分泌し、涙腺を化学的に刺激したり、光や電気、構造物の接触などにより、物理的に刺激し、涙を強制的に分泌させてもよい。また、スマートフォンなどの表示器にドライアイズ症候群を緩和ないし根治させるためのリハビリ動作をユーザに求める表示をしてもよいし、データを病院などと共有できるサーバへ格納し、ユーザに対して専門医からアドバイスや薬剤を処方するシステムとしてもよい。
【０２２４】
＜第１の変形例＞
以上においては、例えば、生体状態Ａに寄与する成分と生体状態Ｂに寄与する成分とのそれぞれの度合いの差分が正であるか否かに基づいて、生体状態Ａ，Ｂのいずれかを判定するといった処理の例について説明してきたが、例えば、それぞれに閾値を設定し、それぞれの閾値との関係に基づいて、生体状態Ａ，Ｂのいずれであるかを判定するようにしてもよい。
【０２２５】
すなわち、図１９の上段で示されるように、感情性（Positive）に寄与する成分Ｘ（Positive）の濃度が閾値Xp’より大きくなり、かつ、図１９の下段で示されるように、感情性（negative）に寄与する成分Ｘ（negative）の濃度が閾値Xn’’よりも小さくなったタイミングから、感情性（Positive）に寄与する成分Ｘ（Positive）の濃度が閾値Xp’’より小さくなり、かつ、感情性（negative）に寄与する成分Ｘ（negative）の濃度が閾値Xn’を超えた時にまでを、区間１で示される、感情性（Positive）の状態とするようにしてもよい。
【０２２６】
この成分Ｘ（Positive）は、例えば、アドレナリンなどであり、初期状態から成分Ｘ（Negative）は、例えば、副腎皮質刺激ホルモン（ＡＣＴＨ）やノルアドレナリンなどである。
【０２２７】
また、感情性（Positive）の状態が満たされるタイミングから所定の時間ΔＴｐ’，ΔＴｎ’だけ経過したタイミングから、感情性（Positive）の状態が満たされなくなるタイミングから、所定の時間ΔＴｐ’’，ΔＴｎ’’だけ経過したタイミングまでを、区間２で示されるように、感情性（Positive）の状態として設定するようにしてもよい。
【０２２８】
＜第２の変形例＞
以上においては、感情性（Positive）に寄与する成分Ｘ（Positive）と、感情性（negative）に寄与する成分Ｘ（negative）との相互の条件に基づいて、感情性（Positive）の状態であるか、または、感情性（negative）の状態であるか設定する例について説明してきたが、例えば、いずれか一方の条件のみで感情性（Positive）の状態であるか、または、感情性（negative）の状態であるかを設定するようにしてもよい。
【０２２９】
例えば、図２０で示されるように、感情性（Positive）に寄与する成分Ｘ（Positive）の濃度が閾値X’より大きくなり、閾値X’’より小さくなるまでの区間１を感情性（Positive）の状態であるものとし、それ以外の区間を感情性（negative）の状態であるものとして設定するようにしてもよい。この場合、感情性（Positive）に寄与する成分Ｘ（Positive）は、例えば、上述した成分Ｎなどであり、例えば、アドレナリンなどである。
【０２３０】
また、図２０で示されるように、感情性（Positive）に寄与する成分Ｘ（Positive）の濃度が閾値X’より大きくなったタイミングから所定の時間ΔＴ’が経過したタイミングから、閾値X’’より小さくなったタイミングから所定の時間ΔＴ’’が経過したタイミングまでの区間２を感情性（Positive）の状態であるものとし、それ以外の区間を感情性（negative）の状態であるものとして、今後遷移していく前兆として把握するようにしてもよい。この場合、感情性（Positive）に寄与する成分Ｘ（Positive）は、例えば、上述した成分Ｓなどであり、例えば、フェニルエタノールアミン-N-メチル基転移酵素などである。
【０２３１】
同様に、例えば、図２１で示されるように、感情性（negative）に寄与する成分Ｘ（negative）の濃度が閾値X’’より小さくなり、閾値X’より大きくなるまでの区間１を感情性（negative）の状態であるものとし、それ以外の区間を感情性（Positive）の状態であるものとして設定するようにしてもよい。この場合、感情性（negative）に寄与する成分Ｘ（negative）は、例えば、上述した成分Ｓなどであり、例えば、フェニルエタノールアミン-N-メチル基転移酵素などである。
【０２３２】
また、図２１で示されるように、感情性（negative）に寄与する成分Ｘ（negative）の濃度が閾値X’’より小さくなったタイミングから所定の時間ΔＴ’が経過したタイミングから、閾値X’より大きくなったタイミングから所定の時間ΔＴ’’が経過したタイミングまでを感情性（negative）の状態であるものとし、それ以外の区間を感情性（Positive）の状態であるものとして、今後遷移していく前兆として把握するようにしてもよい。この場合、感情性（negative）に寄与する成分Ｘ（negative）は、例えば、例えば、上述した成分Ｎなどであり、例えば、アドレナリンなどである。
【０２３３】
＜第３の変形例＞
ユーザの特定の動作から、事前予測感情レベル、または、感情レベルの変動予測をするようにしてもよい。
【０２３４】
すなわち、図２２で示されるように、時刻ｔ１２のタイミングで、感情性（negative）の状態であることを示すようなスタンプ（例えば、図中のハートマーク）が押下される操作などがなされた場合、このタイミングから、図中の方形の枠で囲まれた範囲内における感情レベルのランキングを求め、最低値となる値から、感情レベルが０の状態になるまでの期間を予測する。
【０２３５】
すなわち、図２３で示されるように、感情レベルの値ごとに０に戻るまでの平均時間の分布を求めておくことにより、感情レベルが０になる大凡の時刻を予測することができる。
【０２３６】
すなわち、図２２の場合、時刻ｔ１１が、感情レベルが最低であるので、この値を、図２３のグラフに当てはめることで、０になるまでの時間を予測することができる。
【０２３７】
また、これまでの感情レベルの波形パターンを記憶しておき、マッチングにより予測するようにしてもよい。尚、事前予測感情レベルについても、感情レベルと同様の手法で予測することが可能である。
【０２３８】
＜第４の変形例＞
さらに、上述した事前予測感情レベル、または、感情レベルの波形パターンを利用して、ユーザに提示する内容を判断するようにしてもよい。
【０２３９】
すなわち、図２４で示されるように、事前予測感情レベル、または、感情レベルの波形パターンと、スケジュールは関連しているので、これらのスケジュールを比較して、今お勧めを提示するのがユーザにとって迷惑になるか否か、冗談を挟む余地があるか否か、または、ただ気晴らしの音楽をかけるだけの提示をすへきか、といった判断材料を、いわゆるエージェントに提示するようにしてもよい。
【０２４０】
例えば、感情性（negative）を通知する際、仕事の時間帯であれば、感情性（negative）を通知しても気晴らしをして、感情性（Positive）の状態に遷移させるのは難しいだけでなく、作業効率を落としてしまう恐れがある。そこで、このような場合には、感情性（negative）の通知を中止する。そして、例えば、感情性（negative）の通知を受けたときに、散歩などで感情性（Positive）の状態に遷移させ易い昼休みなどの時間帯に通知するようにすることができる。
【０２４１】
また、事前予測感情レベル、または、感情レベルの波形パターンと、スケジュール/場所情報の履歴/視聴履歴/行動履歴/詮索し暦/操作履歴などと連動して、各種の判断をさせるようにしてもよい。
【０２４２】
＜第２の構成例＞
以上においては、図１のＣａｓｅ１に対応する、コンタクトレンズ型の涙の採集機能と、その分析機能を備えた表示装置の構成について説明してきた。そこで、次に、図１のＣａｓｅ２に対応する、コンタクトレンズ型の涙の採集装置と、採集装置により採集された涙を分析装置ＡＮで分析し、分析結果を携帯端末などに表示させる構成について説明する。
【０２４３】
図２５は、コンタクトレンズ型の涙の採集装置と、採集装置により採集された涙を分析装置ＡＮで分析し、分析結果を携帯端末などに表示させる場合の構成例を示している。図２５の上部は、涙の採集装置２０１であり、下部は、分析装置ＡＮの構成を示している。
【０２４４】
尚、採集装置２０１は、コンタクトレンズ型の表示装置１１における涙検出部２６に対応する構成であり、図２の採集口Ｇに設けられている。
【０２４５】
より詳細には、採集装置２０１は、図５の採集口Ｇと同様に、微細孔８１が、眼球と接触する部位に設けられており、毛細管現象により涙を採集し、格納容器２０２に格納する。
【０２４６】
そして、涙を採集した状態の採集装置２０１は、分析装置ＡＮにそのままの状態で格納される。
【０２４７】
＜分析装置の構成例＞
次に、図２６の分析装置ＡＮの構成例について説明する。尚、図２６の分析装置ＡＮにおいて、図４の表示装置１１、および図５の涙検出部２６を構成する機能と同一の機能を備えた構成については、同一の符号および名称を付しており、その説明は適宜省略するものとする。ただし、同一の機能を備えているが、コンタクトレンズ型の構成内に設けられる図４の表示装置１１における構成とは、大きさが異なる。
【０２４８】
すなわち、分析装置ＡＮは、涙検出部２６における分析機能と、表示装置１１における生体状態検出機能とを合わせ持ったものである。すなわち、分析装置ＡＮは、流路８３、差圧流量計８４、制御弁８５−１，８５−２、分析室８６−１乃至８６−５、ＡＤ変換部２１１，２２１−１乃至２２１−５、マイクロポンプ８７、信号処理部２７、生体状態検出部６４、記録部５３、信号アンテナ２３、給電アンテナ２２、および発電部２４を備えている。
【０２４９】
尚、分析装置ＡＮは、採集装置２０１を装着できる部位が設けられており、装着された採集装置２０１の格納容器２０２より採集された涙を取り出す流路８３が設けられており、ここから採集された涙が分析室８６−１乃至８６−５に送り出される。分析室８６−１乃至８６−５は、各種の成分を検出し、検出結果をそれぞれ、ＡＤ変換部２２１−１乃至２２１−５に出力して、デジタル信号に変換させて信号処理部２７に出力させる。この時、差圧流量計８４も採集装置２０１より読み出される涙の流量を計測し、デジタル信号に変換して信号処理部２７に出力する。
【０２５０】
信号処理部２７の生体状態検出部６４は、分析室８６−１乃至８６−５より供給されてくる分析結果に基づいて、上述した処理と同様の処理を実行して信号アンテナ２３を制御して、スマートフォンに代表される携帯端末ＳＰに分析結果に応じた情報を送信する。
【０２５１】
尚、各種の処理については、Ｃａｓｅ１における場合と同様であるので、その説明は省略するものとする。
【０２５２】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０２５３】
図２７は、汎用のパーソナルコンピュータの構成例を示している。このパーソナルコンピュータは、CPU（Central Processing Unit）１００１を内蔵している。CPU１００１にはバス１００４を介して、入出力インタ-フェイス１００５が接続されている。バス１００４には、ROM（Read Only Memory）１００２およびRAM（Random Access Memory）１００３が接続されている。
【０２５４】
入出力インタ-フェイス１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM（Compact Disc-Read Only Memory）、DVD（Digital Versatile Disc）を含む）、光磁気ディスク（ＭＤ（Mini Disc）を含む）、もしくは半導体メモリなどのリムーバブルメディア１０１１に対してデータを読み書きするドライブ１０１０が接続されている。
【０２５５】
CPU１００１は、ROM１００２に記憶されているプログラム、または磁気ディスク、光ディスク、光磁気ディスク、もしくは半導体メモリ等のリムーバブルメディア１０１１ら読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０２５６】
以上のように構成されるコンピュータでは、CPU１００１が、例えば、記憶部１００８に記憶されているプログラムを、入出力インタフェース１００５及びバス１００４を介して、RAM１００３にロードして実行することにより、上述した一連の処理が行われる。
【０２５７】
コンピュータ（CPU１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線または無線の伝送媒体を介して提供することができる。
【０２５８】
コンピュータでは、プログラムは、リムーバブルメディア１０１１をドライブ１０１０に装着することにより、入出力インタフェース１００５を介して、記憶部１００８にインストールすることができる。また、プログラムは、有線または無線の伝送媒体を介して、通信部１００９で受信し、記憶部１００８にインストールすることができる。その他、プログラムは、ROM１００２や記憶部１００８に、あらかじめインストールしておくことができる。
【０２５９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２６０】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２６１】
なお、本技術の実施の形態は、上述した実施の形態に限定されるものではなく、本技術の要旨を逸脱しない範囲において種々の変更が可能である。
【０２６２】
例えば、本技術は、１つの機能をネットワークを介して複数の装置で分担、共同して処理するクラウドコンピューティングの構成をとることができる。
【０２６３】
また、上述のフローチャートで説明した各ステップは、１つの装置で実行する他、複数の装置で分担して実行することができる。
【０２６４】
さらに、１つのステップに複数の処理が含まれる場合には、その１つのステップに含まれる複数の処理は、１つの装置で実行する他、複数の装置で分担して実行することができる。
【０２６５】
尚、本技術は、以下のような構成も取ることができる。
（１）  生体から採取された涙の成分分析を行う分析部と、
前記涙の成分分析の結果に基づいて、前記生体の状態を検出する検出部と
を含む検出装置。
（２）  前記検出部は、前記涙の成分分析の結果に基づいて、前記涙の種別により定まる前記生体の状態を検出する
（１）に記載の検出装置。
（３）  前記生体の状態には、前記生体の感情に起因する感情性の状態が含まれる
（１）または（２）に記載の検出装置。
（４）  前記検出部は、前記涙の成分分析の結果として得られた、前記生体の状態が所定の感情性の状態に遷移しようとするときに分泌される物質の分析結果に基づいて、前記生体の状態が前記所定の感情性の状態に遷移するかを特定する
（３）に記載の検出装置。
（５）  前記検出部は、前記涙の成分分析の結果として得られた、前記生体の状態が第１の感情性の状態に遷移しようとするときに分泌される物質の分析結果に基づいて算出された、前記第１の感情性の状態に遷移しようとする度合いと、前記涙の成分分析の結果として得られた、前記生体の状態が第２の感情性の状態に遷移しようとするときに分泌される物質の分析結果に基づいて算出された、前記第２の感情性の状態に遷移しようとする度合いとに基づいて、前記生体の状態が、前記第１の感情性の状態または前記第２の感情性の状態の何れの状態に遷移するかを特定する
（４）に記載の検出装置。
（６）  前記検出部は、前記第１の感情性の状態に遷移しようとする度合い、および前記第２の感情性の状態に遷移しようとする度合いに基づいて、これから遷移すると推定される前記生体の状態の度合いを示す事前予測感情レベルをさらに算出する
（５）に記載の検出装置。
（７）  前記検出部は、前記事前予測感情レベルに基づいて、現在時刻よりも後の時刻における前記事前予測感情レベルの変動を予測する
（６）に記載の検出装置。
（８）  前記検出部は、前記涙の成分分析の結果として得られた、前記生体の状態が所定の感情性の状態であるときに多く分泌される物質の分析結果に基づいて、前記生体の状態を特定する
（３）に記載の検出装置。
（９）  前記検出部は、前記涙の成分分析の結果として得られた、第１の感情性の状態であるときに多く分泌される物質の分析結果に基づいて算出された、前記第１の感情性の状態らしさの度合いと、前記涙の成分分析の結果として得られた、第２の感情性の状態であるときに多く分泌される物質の分析結果に基づいて算出された、前記第２の感情性の状態らしさの度合いとに基づいて、前記涙の状態が、前記第１の感情性の状態または前記第２の感情性の状態の何れの状態であるかを特定する
（８）に記載の検出装置。
（１０）  前記検出部は、前記第１の感情性の状態らしさの度合い、および前記第２の感情性の状態らしさの度合いに基づいて、前記生体の感情性の状態の度合いを示す感情レベルをさらに算出する
（９）に記載の検出装置。
（１１）  前記検出部は、前記感情レベルに基づいて、現在時刻よりも後の時刻における前記感情レベルの変動を予測する
（１０）に記載の検出装置。
（１２）  前記生体の状態には、前記生体への刺激に起因する状態が含まれる
（２）に記載の検出装置。
（１３）  前記検出部は、前記涙の成分分析の結果として得られた、前記生体への刺激があるとき、または前記生体に疼痛があるときに分泌される物質の分析結果に基づいて、前記生体の状態が、前記生体への刺激に起因する状態であるか、または前記生体に疼痛がある状態が継続したときに遷移する、前記生体の感情に起因する感情性の状態であるかを特定する
（１２）に記載の検出装置。
（１４）  前記検出部は、前記生体への刺激があるとき、または前記生体に疼痛があるときに分泌される物質の分析結果に基づく、その前記物質の分泌量を示す値が所定の閾値以上となる期間の長さに基づいて、前記生体の状態が、前記生体への刺激に起因する状態であるか、または前記生体の感情に起因する感情性の状態であるかを特定する
（１３）に記載の検出装置。
（１５）  前記検出部は、前記生体への刺激があるとき、または前記生体に疼痛があるときに分泌される物質の分析結果に基づいて、前記生体への刺激レベルまたは疼痛レベルを算出する
（１３）または（１４）に記載の検出装置。
（１６）  前記検出部は、前記刺激レベルまたは前記疼痛レベルに基づいて、現在時刻よりも後の時刻における前記刺激レベルまたは前記疼痛レベルの変動を予測する
（１５）に記載の検出装置。
（１７）  前記検出部は、前記涙の成分分析の結果として得られた、特定の物質の分析結果に基づいて、前記生体の涙の分泌レベルを特定する
（１）乃至（１６）の何れかに記載の検出装置。
（１８）  前記検出装置は眼球に着脱可能となっている
（１）乃至（１７）の何れかに記載の検出装置。
（１９）  生体から採取された涙の成分分析を行い、
前記涙の成分分析の結果に基づいて、前記生体の状態を検出する
ステップを含む検出方法。
（２０）  生体から採取された涙の成分分析を行う分析ステップと、
前記涙の成分分析の結果に基づいて、前記生体の状態を検出する検出ステップと
を含む処理をコンピュータに実行させるプログラム。
【符号の説明】
【０２６６】
１１  表示装置，  ２１  表示領域，  ２５  姿勢検出部，  ２６−１乃至２６−３，２６  涙検出部，  ２７  信号処理部，  ６１  ＡＤ変換部，  ６４  生体状態検出部，  ８６，８６−１乃至８６−５  分析室，  １０１  励起光源，  １０２  分析空間，  １０３  ヒータ，  １０４  レンズ，  １０５  エアギャップ，  １０６  受光器
【図１】
2016008818.tif 000003
【図２】
2016008818.tif 000004
【図３】
2016008818.tif 000005
【図４】
2016008818.tif 000006
【図５】
2016008818.tif 000007
【図６】
2016008818.tif 000008
【図７】
2016008818.tif 000009
【図８】
2016008818.tif 000010
【図９】
2016008818.tif 000011
【図１０】
2016008818.tif 000012
【図１１】
2016008818.tif 000013
【図１２】
2016008818.tif 000014
【図１３】
2016008818.tif 000015
【図１４】
2016008818.tif 000016
【図１５】
2016008818.tif 000017
【図１６】
2016008818.tif 000018
【図１７】
2016008818.tif 000019
【図１８】
2016008818.tif 000020
【図１９】
2016008818.tif 000021
【図２０】
2016008818.tif 000022
【図２１】
2016008818.tif 000023
【図２２】
2016008818.tif 000024
【図２３】
2016008818.tif 000025
【図２４】
2016008818.tif 000026
【図２５】
2016008818.tif 000027
【図２６】
2016008818.tif 000028
【図２７】
2016008818.tif 000029